(57)【特許請求の範囲】
【請求項１】
外管と、該外管内に収容して配置した管とよりなる多重の挿入管を、封入流体圧を利用して既設管内に挿入する多重管の施工方法において、
挿入管の外管の先端部を閉塞し、
前記挿入管の外管内に収容した管の管尾が該外管の管尾から外方に突出するように配置し、
該外管の管尾に着脱可能な補助管を連結し、
補助管に該補助管内に設置可能なプラグを具備した押込装置を取り付け、
前記補助管を含んで挿入管内に封入流体を充填し、
補助管の内側に配置した前記押込装置のプラグで封入流体に圧力を発生させて挿入管を既設管内に押し込む工程と、
前記補助管を取り外した多重の挿入管の管尾に延長用の多重の挿入管を接続する工程を繰り返して行うことを特徴とする、
多重管の施工方法。
【請求項２】
請求項１に記載の多重管の施工方法において、既設管と挿入管の間に重量液を充填し、挿入管に浮力を付与することを特徴とする、多重管の施工方法。
【請求項３】
請求項２に記載の多重管の施工方法において、既設管内を摺動可能で、重量液を既設管内に密閉する閉塞部材を挿入管の先端部付近に配置することを特徴とする、多重管の施工方法。
【発明の詳細な説明】
【０００１】
【発明の属する技術分野】
本発明は、既設管内に多重管を挿入する施工に関するものである。
【０００２】
【従来の技術】
既設管ａ内に太さの異なる同心円状の多重管の挿入管ｂを挿入して敷設する場合、図３のように挿入管ｂの内側の内管ｄの管尾ｆは、挿入管ｂの外側の外管ｃの管尾ｅより外方向に突出している必要がある。その理由は、内管ｄや外管ｃを溶接して繋ぎながら既設管ａ内に順次挿入して行くために、内管ｄは相互に溶接できるように外管ｃの管尾ｅより外方向に突出している。なお、ｇは溶接部を示している。
【０００３】
しかし、内管ｄの管尾ｆが外管ｃの管尾ｅより外方に突出していると、挿入装置のプラグ（図示されれていない）が外管ｃの管尾ｅの内側付近に取り付けられなくなる。そのため、挿入装置でもって外管ｃ内に充填された封入流体ｈを加圧して挿入管ｂを既設管ａ内に押し込めることができなくなる。
【０００４】
【発明が解決しようとする課題】
本発明は、既設管内に多重管を容易に施工することにある。
【０００５】
【課題を解決するための手段】
本発明は、外管と、該外管内に収容して配置した管とよりなる多重の挿入管を、封入流体圧を利用して既設管内に挿入する多重管の施工方法において、挿入管の外管の先端部を閉塞し、前記挿入管の外管内に収容した管の管尾が該外管の管尾から外方に突出するように配置し、該外管の管尾に着脱可能な補助管を連結し、補助管に該補助管内に設置可能なプラグを具備した押込装置を取り付け、前記補助管を含んで挿入管内に封入流体を充填し、補助管の内側に配置した前記押込装置のプラグで封入流体に圧力を発生させて挿入管を既設管内に押し込む工程と、前記補助管を取り外した多重の挿入管の管尾に延長用の多重の挿入管を接続する工程を繰り返して行うことを特徴とする、多重管の施工方法、又は、前記の多重管の施工方法において、既設管と挿入管の間に重量液を充填し、挿入管に浮力を付与することを特徴とする、多重管の施工方法、又は、前記の多重管の施工方法において、既設管内を摺動可能で、重量液を既設管内に密閉する閉塞部材を挿入管の先端部付近に配置することを特徴とする、多重管の施工方法にある。
【０００６】
【発明の実施の形態】
以下、図面を用いて本発明の実施の形態を説明する。
【０００７】
＜イ＞既設管内の多重管
既設管１内に太さの異なる新管からなる挿入管２を挿入する。挿入管２は、多重管であり、例えば図１のような外管２１と内管２２の二重管とする。この場合、既設管１と二重管の挿入管２との間にＡ、Ｂ、Ｃの各ゾーンができる。
【０００８】
これらのゾーンは、種々の使い道があるが、例えば多種類のガスや油などを移送することができるる。挿入管２が二重管の場合は、３種類の流体を移送でき、三重管の場合は４種類の流体を移送できる。又は、図１の場合、高粘性で加熱を必要とする油などはＢゾーンを流し、Ｃゾーンには加熱体を流し、Ａゾーンには加熱流体の帰還路とすることもできる。
【０００９】
＜ロ＞既設管内への挿入管の挿入の概要
既設管１内に挿入管２を敷設する方法として、図２のように、挿入管２に封入流体２８を充填し、挿入管２の管尾の内側付近にプラグ４１を液密に配置して、封入流体２８を封入する。押込装置４のプラグ４１を挿入管２の内方に押して、封入流体２８に圧力を付与することにより挿入管２を既設管１内に挿入する。この方法によると、プラグ４１で押した力が封入流体２８を介して、挿入管２の管頭に均等にかかり、挿入管２を既設管１内に容易に挿入することができる。
【００１０】
＜ハ＞既設管内への挿入管の配置
既設管１内に挿入する挿入管２は、多重管であり、例えば外管２１と内管２２の二重管とする。既設管１と挿入管２の間に重量液２８を充填して挿入管２に浮力を付与すると、挿入管２の押し込みが容易になる。
【００１１】
重量液２８を既設管１の所定区間に仕切るために閉塞部材２４を配置する。閉塞部材２４は挿入管２の先端部に取付けられ、重量液２８を密閉しながら既設管１内をスライドするように配置される。閉塞部材２４は、挿入管２が既設管１内の中心部に位置するように芯だしとしても機能している。また、既設管１の内側付近に、例えば、フレキシブルゴムの盤状リング１１を取り付ければ重量液２８を管内に保持することができる。
【００１２】
挿入管２の外周部にスライディングスペーサ２６が取り付けられる。スライディングスペーサ２６は、既設管１内をスライドし、挿入管２を既設管１の中心付近に位置させる。
【００１３】
挿入管２は、例えば外管２１と内管２２の二重管とし、外管２１の管頭を閉じて外管２１内に封入流体２８を充填する。外管２１の内部にある内管２２は、多重管スペーサ２７で外管２１の中心付近に配置される。封入流体は、内管の外周にエアチューブを取り付けたり、内管の内部にエアバックを配置して封入することができる。エアチューブやエアバックにエアホースが接続され、エアの出し入れで取り付けや取り外しができる。
【００１４】
外管２１と内管２２は、各々既設管１内に挿入されるに従って、溶接で継ぎ足されて行く。内管２２を溶接するために外管２１より露出する必要があるので、内管２２の管尾は、外管２１の管尾より外側に突出している。なお、２３は溶接部を示す。
【００１５】
＜ニ＞押込装置
封入流体２８に圧力を付与して、挿入管２を押し込むためにプラグ４１を外管２１の管尾内に配置する必要がある。そのために、外管２１の管尾に補助管３を着脱可能に固定する。この固定方法は、繋材３１で外管２１と補助管３を繋ぎ、パッキン３２で封入流体２８が漏れないように密閉する。
【００１６】
補助管３の内側に押込装置４のプラグ４１を配置し、封入流体２８に圧力を付与する。押込装置４の台車４２は、ジャッキ４３で鋼材４４を引っ張り、その反力でプラグ４１を挿入管２側に押して、封入流体２８に圧力を付与する。台車４２と繋材３１を連結材３３で連結し、挿入管２の押し込みを制限する。鋼材４４は、固定具４５により既設管１に取り付けられる。
【００１７】
以下に本発明の施工方法を説明する。
【００１８】
＜イ＞既設管内への挿入管の配置
外管２１の管頭を密閉し、閉塞部材２４を取り付ける。また、外移管の外周にスライディングスペーサ２６を取り付ける。外管２１内に内管２２の管尾が外管２１の管尾より外方に突出するように内管２２を配置する。外管２１と内管２２の間に多重管スペーサ２７を配置して、内管２２を外管２１の中心部に配置する。既設管１内に挿入管２を挿入し、既設管１と挿入管２の間に重量液２８を充填する。
【００１９】
＜ロ＞補助管の取付け
外管２１の管尾に補助管３を繋材３１で取付け、外管２１内に封入流体２８を充填する。補助管３内にプラグ４１を配置し、押込装置４のジャッキ４３を操作して、プラグ４１を外管２１内に移動する。その際、封入流体２８は圧力を受け、挿入管２の管頭が既設管１の内方に前進する。
【００２０】
＜ハ＞挿入管の挿入
挿入管２を継ぎ足すために、補助管３を外管２１の管尾から取り外す。まず、内管２２の管尾に連結する内管２２を溶接して継ぎ足す。次に、外管２１の管尾に連結する外管２１を溶接して継ぎ足す。溶接された外管２１の管尾に補助管３を繋材３１で固定する。
【００２１】
補助管３にプラグ４１を取り付け、封入流体２８に圧力を付与して、挿入管２を既設管１内に押し込む。上記操作を繰り返して、既設管１内に多重管の新管を容易に敷設することができる。なお、挿入管２が二重管に限らず、任意の本数の多重管でも適用することができる。
【００２２】
【発明の効果】
本発明は、次のような効果を得ることができる。
＜イ＞補助管を使用することにより、既設管内に多重管を容易に敷設することができる。
＜ロ＞封入流体を使用するので、挿入管に引張力が働いた状態で既設管内に押し込めることができる。
＜ハ＞既設管と挿入管の間に重量液を充填し、挿入管に浮力を付与して、挿入管の押し込み力を低減することができる。
【図面の簡単な説明】
【図１】多重管の説明図
【図２】本発明の既設管内への挿入管の敷設図
【図３】外管と内管の配置図
【符号の説明】
１・・既設管
２・・挿入管
２１・外管
２２・内管
２５・重量液
２８・封入流体
３・・補助管
３１・繋材
３２・パッキン
４・・押込装置
４１・プラグ
４２・台車
４３・ジャッキ
【図１】
0003816989.tif 000002
【図２】
0003816989.tif 000003
【図３】
0003816989.tif 000004